(57)【特許請求の範囲】
【請求項１】
各ページに利用者が視認しうる表示物が表示される一又は二以上のページからなり、利用者のページ捲り動作によりページを変えられるように回転軸を中心に回転可能な回転部を各ページに有する表示手段と、
前記表示手段の各ページごとに設けられ、ＩＣカードリーダの動作中に作動状態となる、利用者の有する非接触ＩＣカードに記録された情報を読み取るカード読取手段と、
を有するＩＣカードリーダであって、
前記カード読取手段は、
カード読取機能を有するアンテナと、
前記表示手段の利用者側に表出されているページ以外のページに設けられた前記カード読取手段から放射されるカード読み取り用の電磁波が利用者の非接触ＩＣカードに有効に到達しないようにするか、又は、利用者の非接触ＩＣカードから返される電磁波が前記表示手段の利用者側に表出されているページ以外のページに設けられたカード読取手段に有効に到達しないようにする遮蔽手段とを有し、
前記遮蔽手段は、遮蔽面と、当該遮蔽面と前記アンテナとの間に配置されたスペーサとを有するか、または、前記遮蔽手段は、遮蔽面を有し、前記アンテナは当該遮蔽面の影響による周波数オフセットを予め考慮して共振周波数が設計されていることを特徴とするＩＣカードリーダ。
【請求項２】
各ページに利用者が視認しうる表示物が表示される一又は二以上のページからなり、利用者のページ捲り動作によりページを変えられるように回転軸を中心に回転可能な回転部を各ページに有する表示手段と、
前記表示手段の各ページごとに設けられ、利用者の有する非接触ＩＣカードに記録された情報を読み取るカード読取手段と、
前記表示手段のどのページが利用者側に表出されているかを光センサまたは電気的なスイッチを用いて検出するページ検出手段と、
前記ページ検出手段により検出されたページに設けられたカード読取手段を作動状態にする読取制御手段と、
を有ることを特徴とするＩＣカードリーダ。
【請求項３】
利用者の有する非接触ＩＣカードに記録された情報を読み取るカード読取手段と、
前記カード読取手段の上に重ねられた、各ページに利用者が視認しうる表示物が表示される一又は二以上のページからなり、利用者のページ捲り動作により前記カード読取手段の上でページを変えられるように回転軸を中心に回転可能な回転部を各ページに有する表示手段と、
前記表示手段のどのページが利用者側に表出されているかを光センサまたは電気的なスイッチを用いて検出するページ検出手段と、
前記ページ検出手段により検出されたページに予め関連づけられているＩＣカード機能についての読み取りに必要な読み取り動作を前記カード読取手段に実行させる読取制御手段と、
を有することを特徴とするＩＣカードリーダ。
【請求項４】
既存ＩＣカードリーダに重ねて使用するＩＣカードリーダであって、
各ページに利用者が視認しうる表示物が表示される一又は二以上のページからなり、利用者のページ捲り動作により既存ＩＣカードリーダの上でページを変えられるように回転軸を中心に回転可能な回転部を各ページに有する表示手段と、
前記表示手段の各ページごとに設けられ、ＩＣカードリーダの動作中に作動状態となる、利用者の有する非接触ＩＣカードに記録された情報を読み取るカード読取手段を有し
前記カード読取手段は、
カード読取機能を有するアンテナと、
前記表示手段の利用者側に表出されているページ以外のページに設けられた前記カード読取手段から放射されるカード読み取り用の電磁波が利用者の非接触ＩＣカードに有効に到達しないようにするか、又は、利用者の非接触ＩＣカードから返される電磁波が前記表示手段の利用者側に表出されているページ以外に有効に到達しないようにする遮蔽手段とを有し、
前記遮蔽手段は、遮蔽面と、当該遮蔽面と前記アンテナとの間に配置されたスペーサとを有するか、または、前記遮蔽手段は、遮蔽面を有し、前記アンテナは当該遮蔽面の影響による周波数オフセットを予め考慮して共振周波数が設計されていることを特徴とするＩＣカードリーダ。
【請求項５】
既存ＩＣカードリーダに重ねて使用するＩＣカードリーダであって、
各ページに利用者が視認しうる表示物が表示される一又は二以上のページからなり、利用者のページ捲り動作により既存ＩＣカードリーダの上でページを変えられるように回転軸を中心に回転可能な回転部を各ページに有する表示手段と、
前記表示手段の各ページごとに設けられている、利用者の有する非接触ＩＣカードに記録された情報を読み取るカード読取手段と、
前記表示手段のどのページが利用者側に表出されているかを光センサまたは電気的なスイッチを用いて検出するページ検出手段と、
前記ページ検出手段により検出されたページに設けられたカード読取手段を作動状態にする読取制御手段と、
を有することを特徴とするＩＣカードリーダ。
【請求項６】
既存ＩＣカードリーダに重ねて使用するＩＣカードリーダであって、
既存のＩＣカードリーダの上に重ねられた、利用者の有する非接触ＩＣカードに記録された情報を読み取るカード読取手段と、
前記カード読取手段の上に重ねられた、各ページに利用者が視認しうる表示物が表示される一又は二以上のページからなり、利用者のページ捲り動作により前記カード読取手段の上でページを変えられるように回転軸を中心に回転可能な回転部を各ページに有する表示手段と、
前記表示手段のどのページが利用者側に表出されているかを光センサまたは電気的なスイッチを用いて検出するページ検出手段と、
前記ページ検出手段により検出されたページに予め関連づけられているＩＣカード機能についての読み取りに必要な読み取り動作を前記カード読取手段に実行させる読取制御手段と、
を有することを特徴とするＩＣカードリーダ。
【請求項７】
さらに、前記既存ＩＣカードリーダに対する接触面が柔軟性素材で構成されていることを特徴とする請求項４乃至請求項６のいずれか一項に記載のＩＣカードリーダ。
【請求項８】
さらに、前記カード読取手段は、
カード読取機能を有するアンテナと、
前記既存ＩＣカードリーダから放射されるカード読み取り用の電磁波が利用者の非接触ＩＣカードに有効に到達しないようにするか、又は、利用者の非接触ＩＣカードから返される電磁波が前記既存ＩＣカードリーダに有効に到達しないようにする遮蔽手段とを有し、
前記遮蔽手段は、遮蔽面と、当該遮蔽面と前記アンテナとの間に配置されたスペーサとを有するか、または、前記遮蔽手段は、遮蔽面を有し、前記アンテナは当該遮蔽面の影響による周波数オフセットを予め考慮して共振周波数が設計されていることを特徴とする請求項４乃至請求項７のいずれか一項に記載のＩＣカードリーダ。
【請求項９】
請求項２、３、５または６に記載のＩＣカードリーダにおいて、
前記ページ検出手段における光センサは、発光手段及び受光手段からなる複数の光センサ手段であり、
前記ページ検出手段はさらに、各ページの端部に形成した光インタラプタ手段を有し、
前記複数の光センサ手段はＩＣカードリーダの端部に配置され、光インタラプタ手段はそれぞれのページが表出しているときに所定の光センサ手段の光を遮るように形成されることを特徴とするＩＣカードリーダ。
【請求項１０】
請求項１乃至請求項９のうち一つの請求項に記載のＩＣカードリーダと、
前記ＩＣカードリーダに接続されたサーバを具備し、
前記サーバによって、前記ＩＣカードリーダからの出力信号に応じた処理が実行されることを特徴とするＩＣカードリーダシステム。
【発明の詳細な説明】
【技術分野】
【０００１】
本発明は、ＩＣカードリーダに関するものである。
【背景技術】
【０００２】
コンビニエンスストアなどの各種店舗における支払いや鉄道会社の発券・改札用に広く普及している非接触ＩＣカードは、一枚の非接触ＩＣカードの中に電子マネー、乗車券、ポイントカードといった複数の機能を混在させることが可能となっている。そして、時代のニーズに伴い次々と新しい機能への需要が発生している。しかしながら、非接触ＩＣカードの情報を読み取るカードリーダシステム（ＰＯＳ（Ｐｏｉｎｔ  ｏｆ  Ｓｅｒｖｉｃｅ）機能を有するものも含む）については、それぞれの機能ごとに別々に用意されているのが現状であり、各店舗等は選択した機能に対応したカードリーダシステムを導入している。ところが、特に店舗の場合には店頭レジ横のスペースは限られているため、複数台のカードリーダを設置することは難しい。
【０００３】
そこで、一つのＩＣカードリーダで複数の機能に対応できるカードリーダシステムを導入し、カードリーダに連動したモニタ上等の表示に従って、使用したい機能を選択することで、上記問題を解決する方法が考えられる。例えば、同一のＩＣカードにＡ社の電子マネーの機能とＢ社の電子マネーの機能が含まれていたとき、ＩＣカードリーダにタッチするという動作だけでは、どちらの電子マネー機能を選択したのか確定せず、ＩＣカードリーダにタッチしたあとに、カードリーダに連動したモニタ上の表示にしたがって所望の電子マネー機能を選択する。
【発明の開示】
【発明が解決しようとする課題】
【０００４】
しかし、そのようなシステムが必ずしも利用者にとって望ましいとは限らない。なぜなら、利用者は「いま自分が利用している機能が何か」を直感的に理解することが難しいからである。特に、電子マネーの機能とポイントカードの機能のように、一枚のカードを異なる用途で利用する場合には、どの機能を利用しようとしているのかが「明確に」、かつ、「直感的に」利用者に認識できるユーザーインターフェースが提供されることが望ましい。
【０００５】
かかるユーザーインターフェースを有するＩＣカードリーダシステムが提供される場合であっても、既存のＩＣカードリーダシステムを導入している店舗にとっては、新たなサービスを導入するために、現有するＩＣカードリーダシステムを新たなものと交換することは経済的負担が大きい。また、新たなＩＣカードリーダシステム操作についての店員教育の必要性なども考慮するとＩＣカードリーダシステムを入れ替えることは容易ではない。
【０００６】
本発明は、上記事情に基づいてなされたものであり、上記複数の機能の中から任意の機能を明確かつ直感的に選択できるとともに、省スペースを実現するユーザーインターフェースを有するＩＣカードリーダシステムを提供することを目的とする。
さらに、既存のＩＣカードリーダシステムを導入している店舗等において、既存のＩＣカードリーダシステムに何ら影響を与えることなく容易に導入できるＩＣカードリーダシステムを提供することを目的とする。
【課題を解決するための手段】
【０００７】
上記目的を達成する本発明のＩＣカードリーダは、各ページに利用者が視認しうる表示物が表示される一又は二以上のページからなり、利用者のページ捲り動作によりページを変えられるよう形成された表示手段と、前記表示手段の各ページごとに設けられている、利用者の有する非接触ＩＣカードに記録された情報を読み取るカード読取手段とを有することを特徴とする。
【０００８】
上記発明においては、さらに、前記表示手段の利用者側に表出されているページ以外のページに設けられた前記カード読取手段から放射されるカード読み取り用の電磁波が利用者の非接触ＩＣカードに有効に到達しないようにするか、又は、利用者の非接触ＩＣカードから返される電磁波が前記表示手段の利用者側に表出されているページ以外のページに設けられたカード読取手段に有効に到達しないようにする遮蔽手段が設けられていてもよい。
【０００９】
あるいはまた、前記表示手段のどのページが利用者側に表出されているかを検出するページ検出手段と、前記ページ検出手段により検出されたページに設けられたカード読取手段を作動状態にする読取制御手段とを有していてもよい。
【００１０】
上記目的を達成するための他のＩＣカードリーダは、利用者の有する非接触ＩＣカードに記録された情報を読み取るカード読取手段と、各ページに利用者が視認しうる表示物が表示される一又は二以上のページからなり、利用者のページ捲り動作により前記カード読取手段の上でページを変えられるよう形成された表示手段と、前記表示手段のどのページが利用者側に表出されているかを検出するページ検出手段と、前記ページ検出手段により検出されたページに予め関連づけられているＩＣカード機能についての読み取りに必要な読み取り動作を前記カード読取手段に実行させる読取制御手段とを有することを特徴とする。
【００１１】
上記目的を達成するためのさらに他のＩＣカードリーダは、既存ＩＣカードリーダに重ねて使用するＩＣカードリーダであって、各ページに利用者が視認しうる表示物が表示される一又は二以上のページからなり、利用者のページ捲り動作により既存ＩＣカードリーダの上でページを変えられるよう形成された表示手段と、前記表示手段の各ページごとに設けられている、利用者の有する非接触ＩＣカードに記録された情報を読み取るカード読取手段とを有することを特徴とする。
【００１２】
上記発明においては、さらに、前記表示手段の利用者側に表出されているページ以外のページに設けられた前記カード読取手段から放射されるカード読み取り用の電磁波が利用者の非接触ＩＣカードに有効に到達しないようにするか、又は、利用者の非接触ＩＣカードから返される電磁波が前記表示手段の利用者側に表出されているページ以外に有効に到達しないようにする遮蔽手段が設けられていてもよい。
【００１３】
あるいはまた、前記表示手段のどのページが利用者側に表出されているかを検出するページ検出手段と、前記ページ検出手段により検出されたページに設けられたカード読取手段を作動状態にする読取制御手段とを有していてもよい。
【００１４】
上記目的を達成するためのさらに他のＩＣカードリーダは、既存ＩＣカードリーダに重ねて使用するＩＣカードリーダであって、利用者の有する非接触ＩＣカードに記録された情報を読み取るカード読取手段と、各ページに利用者が視認しうる表示物が表示される一又は二以上のページからなり、利用者のページ捲り動作により前記カード読取手段の上でページを変えられるよう形成された表示手段と、前記表示手段のどのページが利用者側に表出されているかを検出するページ検出手段と、前記ページ検出手段により検出されたページに予め関連づけられているＩＣカード機能についての読み取りに必要な読み取り動作を前記カード読取手段に実行させる読取制御手段とを有することを特徴とする。
【００１５】
上記の既存ＩＣカードリーダに重ねて使用するＩＣカードリーダにおいては、前記既存ＩＣカードリーダに対する接触面が柔軟性素材で構成されていてもよい。
【００１６】
上記の既存ＩＣカードリーダに重ねて使用するＩＣカードリーダにおいては、さらに、前記既存ＩＣカードリーダから放射されるカード読み取り用の電磁波が利用者の非接触ＩＣカードに有効に到達しないようにするか、又は、利用者の非接触ＩＣカードから返される電磁波が前記既存ＩＣカードリーダに有効に到達しないようにする遮蔽手段が設けることもできる。
【００１７】
前記遮蔽手段を備える本発明のＩＣカードリーダにおいて、カード読取手段がカード読取機能を有するアンテナを備え、前記遮蔽手段として、遮蔽面と、前記遮蔽面と前記アンテナの間にスペーサとを有することもできる。
【００１８】
あるいはまた、前記遮蔽手段として、遮蔽面と、前記遮蔽面の影響による周波数オフセットを予め考慮して最適な共振周波数となるように設計された前記アンテナとを有することもできる。
【００１９】
また、前記ページ検出手段が、発光手段及び受光手段からなる複数の光センサ手段と、各ページの端部に形成した光インタラプタ手段とを有し、前記複数の光センサ手段はＩＣカードリーダの端部に配置され、光インタラプタ手段は、それぞれのページが表出しているときに所定の光センサ手段の光を遮るように形成されてもよい。
【００２０】
本発明によるＩＣカードリーダシステムの構成は、前記ＩＣカードリーダに接続されたサーバを具備し、前記サーバによって、前記ＩＣカードリーダからの出力信号に応じた処理が実行されることを特徴とする。
【発明の効果】
【００２１】
本発明によると、利用者が複数のＩＣカード機能の中から任意の機能を明確かつ直感的に選択できるとともに、省スペースなＩＣカードリーダシステムを提供することができる。さらに、既存のＩＣカードリーダシステムを導入している店舗においても、容易に新規なＩＣカードリーダシステムを導入することができる。
【発明を実施するための最良の形態】
【００２２】
［実施形態１］
以下、本発明の第１の実施形態について、図面を参照して説明する。図１において、本発明に係るＩＣカードリーダシステムを実施するための構成を概略的に示す。
【００２３】
本実施形態におけるＩＣカードリーダシステムは、ＩＣカードリーダ１００と、ＩＣカードリーダ１００に接続されるサーバ１０５とを備える。便宜上、サーバ１０５と接続されるＩＣカードリーダ１００が一つの場合を説明するが、複数のＩＣカードリーダを接続することも可能である。
【００２４】
さらに、本実施形態においては、予め導入されている既存のＩＣカードリーダ１３５および既存のサーバ１４０からなる既存のＩＣカードリーダシステムが既に存在している場合を想定する。本明細書においては、本発明に係るＩＣカードリーダシステムを「ＩＣカードリーダシステム」、そのＩＣカードリーダを「ＩＣカードリーダ」といい、既存のＩＣカードリーダシステムを「既存ＩＣカードリーダシステム」、そのＩＣカードリーダを「既存ＩＣカードリーダ」という。既存ＩＣカードリーダ１３５は、既存カードリーダ読取部１４５および既存読取制御部１５０からなる。
【００２５】
ＩＣカードリーダシステムと既存ＩＣカードリーダシステムは電気的に完全に独立しており、図１における破線はこの電気的な独立を示している。
【００２６】
ＩＣカードリーダ１００は、各ページに表示物（利用者が視覚的に認識できる、例えば文字、図形、記号又はこれらの結合からなるもの）が表示される一又は二以上のページとしてのページ部１１５からなり、利用者のページ捲り動作により既存ＩＣカードリーダ１３５の既存カード読取部１４５上でページを変えられるよう形成された表示手段としての表示部１１０を有する。
【００２７】
表示部１１０の各ページ部１１５は、利用者の有する非接触ＩＣカードに記録された情報を読み取るカード読取手段としてのカード読取部１２０を有する。各カード読取部１２０は、それぞれに対応する非接触ＩＣカードリーダ機能についての情報を読み出す機能を有する。
【００２８】
ＩＣカードリーダ１００は、さらに、表示部１１０のどのページ部１１５が利用者側に表出されているかを検出するページ検出手段であるページ検出部１２５と、ページ検出部１２５により検出されたページ部１１５に設けられたカード読取部１２０を作動状態にするとともに、その他のページ部１１５に設けられたカード読取部１２０を読取停止状態にする読取制御手段としての読取制御部１３０とを有する。
【００２９】
本実施形態においては、表出されていないページ部１１５に設けられたカード読み取り部１２０は、ページ検出部１２５による検出結果および読取制御部１３０によって読取停止状態とされるが、表出されたページ部１１５のみから、非接触ＩＣカード情報を読み取ることが可能であればよく、誤動作の恐れや、発熱の恐れあるいは省電力の必要性が特になければ、ページ検出部１２５および読取制御部１３０は必要ではない。例えば、後述するような遮蔽手段を各カード読取部１２０に設けることで、利用者側に表出されたページ部１１５に設けられたカード読取部以外のページ部に設けられたカード読取部１２０から放射される電磁波が利用者の非接触ＩＣカードに有効に到達しないようにすることも可能である。また、カード読取部１２０から放射される電磁波が、特段の遮蔽手段を用いなくても他のカード読取部１２０に影響がない程度微弱である場合には、遮蔽手段も不要であることは当業者に理解されるであろう。
【００３０】
本実施形態におけるＩＣカードリーダ１００の外観構成を図２に示す。同図において、ＩＣカードリーダは、カード読取部１２０をそれぞれ有する３枚のページ部２０５、２１０、２１５（図１のページ部１１５に対応する）からなる表示部を有する。各ページ部２０５、２１０、２１５は、図３〜図６に示すように、それぞれページの上部に水平に設けられた棒状部材を軸として回転して、縦方向にページを捲るよう構成されている。このＩＣカードリーダは、既存カード読取部２００の上に重ねるように設置される。
【００３１】
各ページ部２０５、２１０、２１５は、ポイントサービスＡ、ポイントサービスＢ、ポイントサービスＣのＩＣカード機能にそれぞれ対応しており、各ページ部２０５、２１０、２１５の表面には、それらのページ部がどのＩＣカード機能に対応しているかを利用者が認識できる文字が表示されている。例えば、図４においては、ページ部２１０が表出されているが、この表出されているページ部２１０の表面部に、ページ部２１０に対応するＩＣカード機能を表す「ポイントサービスＢ」の文字が表示されている。なお、図４において、ページ部２１５の裏面部も利用者から視認できるため、ページ部２１５の裏面部にも何らかの表示物を表示してもよい。
【００３２】
各ページ部に対応するＩＣカードリーダは、ポイントサービスに限られず、様々な機能とすることが考えられ、例えば、電子マネー、クレジットカード、乗車券、会員券などであってもよいことが当業者には理解されるであろう。
【００３３】
ＩＣカードリーダは様々な構成とすることが可能であり、例えば、図７および８に示すように、それぞれページの左側に水平に設けられた棒状部材を軸として回転するようにして、横方向にページをめくる構成としてもよい。また、図２〜図６に示した既存カード読取部２００は偏平な直方体で、そのカード読取面となる上面が略水平であるが、図９に示すように、既存カード読取部２００が縦型で、そのカード読取面上面が水平面から大幅に傾いているようなものでもよい。すなわち、本のページを捲るような感覚で非接触ＩＣカードリーダ機能を選択できる構成であれば、どのようなものであってもよい。
【００３４】
非接触ＩＣカードの利用者は、各ページ部を捲りながら、各ページに表示された表示物を視認し、自分が使用したいＩＣカード機能に対応するカード読取部１２０を有するページ部１１５を表出させる。
これにより、利用者が使用したいＩＣカード機能に対応するページ部１１５を、利用者が明確、かつ、直感的に選択することが可能となる。
【００３５】
ページ検出部１２５は、利用者によって表出されたページ部１１５がどのページであるかを検出し、そのページに関連付けられた機能の読取動作を実行させる。例えば、図４においては、ページ部２１０が利用者側に表出されているので、ページ検出部１２５は、ページ部２１０が表出されていることを検出して、このページに関連付けられた機能の読取動作を実行させる。また、図６は、ＩＣカードリーダにおけるページ部がすべて捲られ、既存ＩＣカードリーダのカード読取部２００が表出した状態である。このような場合には、検出部１２５はいずれのページ部１１５も検出せず、ＩＣカードリーダ１００は読取動作を行なわない。
【００３６】
本実施形態のページ検出部１２５は、発光部及び受光部からなる複数の光センサと、各ページの端部に形成した光インタラプタとからなり、前記複数の光センサはＩＣカードリーダの端部に配置され、光インタラプタは、それぞれのページが表出しているときに所定の光センサの光を遮るように形成されたものである。これにより、どの光センサの光が遮られているかによって表出されているページを検出することができる。なお、ページ検出部１２５としては、これ以外にも、例えば電気的なスイッチを用いるなど、種々の構成が考えられる。
【００３７】
本実施形態において、読取制御部１３０は図１０に示すように構成される。読取制御部１３０は、ＣＰＵ・制御部３００、メモリ部３０５、カード読取制御部３１０、サーバとの通信部３１５、光等出力部３２０、および音声出力部３２５が含まれ、それぞれがバスで接続されている。
【００３８】
読取制御部１３０は、ページ検出部１２５および各カード読取部１２０に接続され、前述の検出結果に基づいて、表出されたページ部１１５が有するカード読取部１２０を読取状態とする。そして、利用者が非接触ＩＣカードを該表出した表面に近接させることで、該カード読取部１２０から該カード読取部１２０に対応したＩＣカード機能についての情報が読み取られる。非接触ＩＣカードから情報が読み取られると、音声出力部３２５および光等出力部３２０が音声および光を発し、情報が読み取られたことを示す。
【００３９】
この読み取られた情報は、メモリ部３０５に格納された後、ＣＰＵ・制御部３００において処理され、送信信号が生成され、サーバとの通信部３１５によって、サーバ１０５へ送信される。該信号を受信したサーバ１０５は、該信号に基づいて必要な処理を実行する。
【００４０】
また、前述のようにすべてのページ部１１５が捲られた図６の状態においては、ＩＣカードリーダ１００は読取動作を行なわない。この状態で、利用者が表出している既存カード読取部の表面に非接触ＩＣカードを近接させることで、既存ＩＣカードリーダシステムも従来通り使用することができる。
【００４１】
本実施形態のページ部１１５のうち少なくとも既存ＩＣカードリーダと接触する部分には、スポンジを用いる。このようにした理由は、本実施形態では、ページ部１１５を図２〜図６に示すように既存ＩＣカードリーダ１２０の上に重ねることになるので、ＩＣカードリーダ１００のページ部１１５を固い素材で形成すると、利用者がページ捲り動作を行う際に既存カード読取部１４５の読取面を毀損するおそれがあるからである。ただし、柔軟性を有する素材であれば、スポンジ以外のものを使用することも可能である。
【００４２】
既存カード読取部１４５は、非接触ＩＣカードから情報を読み取るために、通常情報読み取り用の電磁波を常時放射している。しかし、前述のように、ＩＣカードリーダ１００は、既存ＩＣカードリーダ１４５と電気的に独立であるため、このような電磁波の放射を停止させるような制御を行なうことはできない。すなわち、例えば図４に示す状態のように、利用者が既存カード読取部１４５ではなく、ＩＣカードリーダ１００のページ部２１０を表出させた場合であっても、既存カード読取部１４５は、読み取り用の電磁波を放射している。
【００４３】
かかる場合には、利用者が、ページ部２１０の表面上に、非接触ＩＣカードを近接させた場合に、ページ部２１０のカード読取部１２０だけでなく利用者が期待しない既存ＩＣカード読取部１４５までが動作する可能性がある。また、このような電磁波は利用者によって表出されたページ部１１５が有するカード読取部１２０に干渉し、その正常な動作を妨げる可能性もある。
【００４４】
そこで、そのような問題が生じる場合は、前記既存ＩＣカード読取部１４５から放射されるカード読み取り用の電磁波が利用者の非接触ＩＣカードに有効に到達しないようにするか、又は、利用者の非接触ＩＣカードから返される電磁波が前記既存のＩＣカードリーダに有効に到達しないようにする遮蔽手段を設けることができる。
【００４５】
本実施形態のＩＣカードリーダ１００には、カード読取部１２０にカード読み取り用アンテナが含まれており、さらにその下、言い換えると、当該アンテナよりも既存ＩＣカード読取部に近い側に、平面状の金属網で構成された遮蔽部材が設けられている。しかし、このような遮蔽部材をアンテナの近傍に設置すると、該アンテナの共振周波数に影響を与えることがある。
【００４６】
そこで、本実施形態では、前記アンテナ共振周波数への影響を防止するためにアンテナと遮蔽部材との間にスペーサを設ける。アンテナと平面状の金属網に一定の距離を設けることで、平面状の金属網によるアンテナ共振周波数への影響を防止することができる。前述のスポンジは、このスペーサとしても適している。ただし、スポンジ以外のものであっても、アンテナに影響を与える金属等の素材以外のものであればどのようなものであってもよく、あるいは、アンテナと既存ＩＣカード読取部との間に単に空間を確保するだけであってもよい。
このスペーサにより、遮蔽部材によるアンテナへの影響を防止し、アンテナを予め設計された最適な共振周波数で動作させることができる。
【００４７】
この遮蔽部材によるアンテナ共振周波数への影響に関する問題は、遮蔽部材の影響によるアンテナ共振周波数の変化分、すなわち周波数オフセットを考慮して、遮蔽部材とともに使用したときに最適な共振周波数で動作できるように予めアンテナの設計を行なうことによっても解消することができる。
また、本実施形態では、遮蔽部材は平面状の金属網としたが、電磁波の遮蔽に適するものであれば、どのようなものであってもよい。
【００４８】
本実施形態のように、既存カード読取部１４５の上に、ページ部１１５を複数重ねるようにしたことによって、一つのＩＣカード機能を有する既存ＩＣカードリーダシステムとほぼ同じスペースで複数のＩＣカード機能を有するＩＣカードリーダシステムを実現することができる。
【００４９】
また、ＩＣカードリーダ１００は、既存カード読取部１４５の上に物理的に積み重ねるだけであり、両者は電気的には完全に独立している。このため、既存ＩＣカードリーダシステムに何ら影響を与えずにＩＣカードリーダシステムを容易に導入することができる点で非常に大きな利点を有する。
【００５０】
既存ＩＣカードリーダシステムを導入している店舗等では、非接触ＩＣカードの利用者が既に存在しており、既存ＩＣカードリーダシステムが有するＩＣカード機能に加えさらに別のＩＣカード機能も併せて利用したいという需要が今後高まると予想される。一方、このような店舗にとっては、新たなカード機能を導入するために、カードリーダシステムを交換することは、特に、既存ＩＣカードリーダシステムがＰＯＳシステムのような高額なカードリーダシステムである場合、経済的にも社員教育の観点からも容易ではない。そこで、本発明に係るＩＣカードリーダシステムを用いることで、既存ＩＣカードリーダシステムに影響を与えることなく必要なＩＣカード機能を追加的に導入することができる。既存ＩＣカードリーダシステムが、ＰＯＳシステムを備えていれば、ポイントサービス等の簡易で安価な構成によって実現できるＩＣカードリーダシステムのみを導入すればよく、少ない経済的負担で、必要な非接触ＩＣカードリーダ機能を追加することができる。
【００５１】
［実施形態２］
本発明の第２の実施形態について、図１１を参照して説明する。本実施形態におけるＩＣカードリーダ４００では、実施形態１と異なり、各ページ部４１５はＩＣカード機能に予め関連付けられているだけであって、カード読取手段を有していないが、各ページ部４１５とは別個のカード読取手段としてのカード読取部４２０を有している。各ページ部４１５は、利用者のページ捲り動作によりカード読取部４２０の上でページを変えられるよう形成される。さらに、ＩＣカードリーダ４００は、ページ検出部４２５により検出されたページ部４１５に予め関連づけられているＩＣカード機能についての読取に必要な読取動作をカード読取部４２０に実行させる読取制御手段としての読取制御部４３０を有する。
【００５２】
本実施形態においては、カード読取部４２０も、利用者が視認しうる、そのＩＣカード機能を認識させる表示物が表示されるページであって、利用者のページ捲り動作により既存カード読取部１４５の上でページを変えられるよう形成される。
【００５３】
ＩＣカードリーダ４００の外観上の構成は、図２〜図６に示した実施形態１と同様であるので、必要に応じてこれらの図を参照する。図２〜図６において、ＩＣカードリーダ４００は、既存カード読取部２００の上に重ねられたカード読取部２０５、その上に重ねられたページ部２１０、２１５を有する。各ページ部２１０、２１５はカード読取部を有しないため、例えば、図４に示すように、ページ部２１０が利用者によって表出された場合には、該ページ部２１０を検出部４２５が検出し、その検出結果に基づいて、読取制御部４３０が、該ページ部２１０に予め関連づけられたＩＣカード機能についての読み取りに必要な読取動作をカード読取部２００に実行させる。
【００５４】
また、本実施形態においても、実施形態１と同様に既存ＩＣカードリーダから放射される電磁波の遮蔽手段を備えてもよい。本実施形態においては、ページ部４１５はカード読取部を有しないため遮蔽手段を有する必要はないが、カード読取部４２０が実施形態１のカード読取部１２０と同様の遮蔽手段を備える。その他の点については、実施形態１と同様であり、詳細な説明は省略する。
【００５５】
［実施形態３］
次に、本発明の第３の実施形態について、図１２を参照して説明する。本実施形態は、実施形態１とほぼ同様の構成であるが、既存ＩＣカードリーダシステムが存在しない場合を想定している点で、実施形態１と異なる。本実施形態では、既存カード読取部１４５の上にページ部を重ねる必要がないため、一番下のカード読取部はどのような構成であっても構わない。例えば、ページ捲りできないように構成してもよいし、ページ捲りできるように構成してもよい。また、既存ＩＣカードリーダから放射される電磁波の遮蔽手段を設ける必要もない。
【００５６】
本実施形態もその外観構成は、図２〜図６に示した実施形態１と略同様である。本実施形態と実施形態１とが異なるのは、カード読取部２００がＩＣカードリーダ５００のカード読取部５２０である点、ＩＣカードリーダ５００が、さらに、ページ部２０５、２１０、２１５を備える点であり、その他の点については、実施形態１と同様であるため、詳細な説明は省略する。
【００５７】
本実施形態のＩＣカードリーダシステムは、既存ＩＣカードリーダシステムを前提としない。そして、一つの非接触ＩＣカードリーダ機能だけしか提供できなかった既存ＩＣカードリーダシステムの占有スペースとほぼ同等のスペースで、複数のＩＣカード機能を提供できるという利点を有する。
【００５８】
［実施形態４］
次に、本発明の第４の実施形態について、図１３を参照して説明する。本実施形態は、実施形態２とほぼ同様の構成であるが、既存ＩＣカードリーダシステムが存在しない場合を想定している点で実施形態２と異なる。本実施形態では、既存カード読取部１４５の上にページ部を重ねる必要がないため、一番下のカード読取部は、ページ捲りできるように形成されている必要はなく、既存ＩＣカードリーダから放射される電磁波の遮蔽手段を設ける必要もない。
【００５９】
本実施形態の外観構成については図２〜６を参照することができる。本実施形態においては、カード読取部２００は、ＩＣカードリーダ６００のカード読取部６２０である。そして、ＩＣカードリーダ６００は、さらに、ページ部２０５、２１０、２１５を備える。その他の点については、実施形態２と同様であるため、詳細な説明は省略する。
【図面の簡単な説明】
【００６０】
【図１】本発明の実施形態１の概略構成図である。
【図２】縦方向捲り方式ＩＣカードリーダの構成図である。
【図３】縦方向捲り方式ＩＣカードリーダの構成図である。
【図４】縦方向捲り方式ＩＣカードリーダの構成図である。
【図５】縦方向捲り方式ＩＣカードリーダの構成図である。
【図６】縦方向捲り方式ＩＣカードリーダの構成図である。
【図７】横方向捲り方式ＩＣカードリーダの構成図である。
【図８】横方向捲り方式ＩＣカードリーダの構成図である。
【図９】傾斜型縦方向捲り方式ＩＣカードリーダの構成図である。
【図１０】読取制御手段の概略構成図である。
【図１１】本発明の実施形態２の概略構成図である。
【図１２】本発明の実施形態３の概略構成図である。
【図１３】本発明の実施形態４の概略構成図である。
【符号の説明】
【００６１】
１００・・・ＩＣカードリーダ
１０５・・・サーバ
１１０・・・表示部
１１５・・・ページ部
１２０・・・カード読取部
１２５・・・ページ検出部
１３０・・・読取制御部
１３５・・・既存ＩＣカードリーダ
１４０・・・既存サーバ
１４５・・・既存カード読取部
１５０・・・既存読取制御部
２００・・・カード読取部
２０５・・・ページ部またはカード読取部
２１０・・・ページ部
２１５・・・ページ部
３００・・・ＣＰＵ・制御部
３０５・・・メモリ部
３１０・・・カード読取制御部
３１５・・・サーバとの通信部
３２０・・・光等出力部
３２５・・・音声出力部
４００・・・ＩＣカードリーダ
４０５・・・サーバ
４１０・・・表示部
４１５・・・ページ部
４２０・・・カード読取部
４２５・・・ページ検出部
４３０・・・読取制御部
５００・・・ＩＣカードリーダ
５０５・・・サーバ
５１０・・・表示部
５１５・・・ページ部
５２０・・・カード読取部
５２５・・・ページ検出部
５３０・・・読取制御部
６００・・・ＩＣカードリーダ
６０５・・・サーバ
６１０・・・表示部
６１５・・・ページ部
６２０・・・カード読取部
６２５・・・ページ検出部
６３０・・・読取制御部
【図１】
0004736045.tif 000002
【図２】
0004736045.tif 000003
【図３】
0004736045.tif 000004
【図４】
0004736045.tif 000005
【図５】
0004736045.tif 000006
【図６】
0004736045.tif 000007
【図７】
0004736045.tif 000008
【図８】
0004736045.tif 000009
【図９】
0004736045.tif 000010
【図１０】
0004736045.tif 000011
【図１１】
0004736045.tif 000012
【図１２】
0004736045.tif 000013
【図１３】
0004736045.tif 000014